(57)【要約】【課題】容器に、開口形状の異なる複数の吐出口を設け、それぞれの吐出口から、内容物を互いに異なる吐出形状で吐出できる構造の簡単な押出し容器を提供すること。【解決手段】可撓性を有する容器の吐出部位に複数個の吐出口頸部を形成し、各吐出口頸部の吐出口の開口形状を互いに異ならせる。【選択図】図３
2004299743.tif 000002
【特許請求の範囲】
【請求項１】
軟質合成樹脂のごとき可撓性を有する材料で作られた容器の吐出部位に、複数個の吐出口頸部が形成されており、各吐出口頸部の吐出口の開口形状が、互に異種内径と異種形状及びその組み合せのうちから選ばれた形状とされている押出し容器。
【請求項２】
軟質合成樹脂のごとく可撓性を有する材料で作られた容器の吐出部位に、複数個の吐出口頸部が形成されており、各吐出口頸部の開口部には、吐出口を形成されたキャップが嵌着されており、
該吐出口の開口形状が、互に異種内径と異種形状及びその組み合せのうちから選ばれた形状とされている押出し容器。
【請求項３】
軟質合成樹脂のごとき可撓性を有する材料で作られた容器の内部が１室である請求項１または請求項２記載の押出し容器。
【請求項４】
軟質合成樹脂のごとき可撓性を有する材料で作られた容器の本体が、単一の筒状体の内部を、複数の吐出口頸部のそれぞれに対応する独立区画に区分された複数の内容物収納部とされている請求項１または請求項２記載の押出し容器。
【請求項５】
１個の容器に１個の吐出口頸部が形成されている少なくとも１本以上の軟質合成樹脂のごとき可撓性を有する材料で作られた独立容器が、可撓性を有する外装胴部で一体形状に包括され、１個の押出し容器とされている請求項１または請求項２記載の押出し容器。
【発明の詳細な説明】
【０００１】
【発明の属する技術分野】
本発明は、クリーム状の化粧料、洗剤等の複数種類、若しくは選択された１種類を、単一体として取り扱いうる可撓性を有する容器に充填しておき、使用時に、それぞれの種類若しくは選択された１種類を、同時に或は異なる時点で好みの量で、或は好みの吐出形状で吐出させうるようにした押出し容器に関する。
【０００２】
【従来の技術】
この種の１個の容器から複数の内容物を各別に押出すことができるようにした容器としては、登録実用新案第２６０３４４８号公報に示されるものが知られておるが、この容器は、外側の容器内に、別の内側の容器が収納され、一連のキャップ状部材の、各別の透孔に、内外の各容器の口頸部が結合され、前記透孔に連通している弁板付きの円筒状基部が内包されている支持筒に、吐出口の形成された主筒部を上下自在に螺合させ、該主筒部の上下位置により前記弁板の開度を制御し、各主筒部の吐出口からの吐出量を調節するようにした構造のものである。（例えば特許文献１参照）
【０００３】
【特許文献１】
登録実用新案第２６０３４４８号公報（第２頁、図２）
【０００４】
前記従来の技術に代表される容器は、吐出量の制御機構が著しく複雑であり、その成形、組立ての工程数が多く、コストアップを避けられないのみでなく、主筒部の上下位置を手指により行うため、逆止弁の開度を、使用の都度同一に保つことが困難であり、このため吐出量を常に均一に保ち難い等の問題を有するほかに、各吐出口からの吐出流体の外形状を相違させる着想などは全く無く、いわんや組み合せなどは全く意図されていない。
【０００５】
【発明が解決しようとする課題】
前記従来の押出し容器の構造と、従来の押出し容器が具備しない特性に着目し、本発明は、構造が比較的簡単であり、吐出量の均一化を常に維持でき、個々の吐出口からの吐出流体の外形状を異ならせ、吐出内容物による趣向性の向上を図ることも容易であると共に、需要に応じて、内容物の異なる容器の組み合わされた押出し容器の提供も簡単に行いうる押出し容器を提供することを課題としている。
【０００６】
【課題を解決するための手段】
前記課題を解決するため、請求項１の発明では押出し容器を軟質合成樹脂のごとき可撓性を有する材料で作られた容器の吐出部位に、複数個の吐出口頸部が形成されれおり、各吐出口頸部の吐出口の開口形状が、互に異種内径と異種形状及びその組み合せのうちから選ばれた形状とされているという構成とした。
【０００７】
請求項２の発明では、軟質合成樹脂のごとき可撓性を有する材料で作られた押出し容器の吐出部位に、複数個の吐出口頸部が形成されており、各吐出口頸部の開口部には、吐出口を形成されたキャップが嵌着されており、
該吐出口の開口形状が、互に異種内径と異種形状及びその組み合せのうちから選ばれた形状とされているという構成とした。
【０００８】
請求項３の発明では、請求項１または請求項２の発明に、可撓性を有する容器の内部が１室であるという構成要件を付加した。
【０００９】
請求項４の発明では、請求項１または請求項２の発明に、可撓性を有する容器の本体が、単一の筒状体の内部を、複数の吐出口頸部のそれぞれに対応する独立区画に区分された複数の内容物収納部とされているという構成要件を付加した。
【００１０】
請求項５の発明では、請求項１または請求項２の発明に、１個の容器に１個の吐出口頸部が形成されている少なくとも１本以上の軟質合成樹脂のごとき可撓性を有する材料で作られた独立容器が、可撓性を有する外装胴部で一体形状に包括され、１個の押出し容器を形成しているという構成を付加した。
【００１１】
【発明の実施の形態】
図１、図２及び図３は、請求項１及び請求項３の両発明を適用した実施の一例を示しており、軟質合成樹脂、或はアルミ薄板のごとき可撓性を有する材料で成形された容器１の肩部たる吐出部位２に、複数個の、図示例では２個の吐出口頸部３、４が形成されており、各吐出口頸部３、４は、底面図たる図２（Ｃ）及び縦断面図たる図３に示すごとく、内部が１室とされている容器内部５に連通させられている。
【００１２】
前記吐出口頸部３、４の吐出口６、７の開口形状は、相互に異種内径と異種形状及びその組み合せのうちから選ばれた形状とされている。図示例では、平面図たる図２（Ｂ）、底面図たる図２（Ｃ）に示すごとく、吐出口６の開口形状は、内歯歯車の略歯形状とされ、吐出口７は桜花模様の輪郭形状とされている。この吐出口６、７の開口形状は、それぞれの内径の大小その他任意の異なる形状、例えば図４、（Ａ）に示す太陽、（Ｂ）に示す星、（Ｃ）に示す三ケ月の各シンボルマークの外形状でも、或は同図（Ｄ）に示す対向する欠円の外形状或は開口内径の差等任意に選定される。
従って、内容液がマヨネーズ、泡立生クリーム或は歯みがき剤のごとく吐出後に若干時間の保形性を有する物質の場合は、吐出直後の若干時間、装飾効果を奏する。
【００１３】
前記吐出口頸部３、４には、図３に示されるキャップ８、９が螺合され、吐出口頸部３、４と別体とされているが、このキャップ８、９は、吐出口頸部３、４に外嵌される環体にヒンジ部を介して一体に連結し、結果として吐出口頸部３、４に連結され、アンダーカット構造で密嵌されるヒンジ構造であってもよい。
【００１４】
前記容器１は、内容物の充填後に底部を閉鎖される。
【００１５】
この図１ないし図３に示される押出し用の容器１は、吐出口６、７の何れか一方のみのキャップを外して手指により胴部を押厚すると、充填されている内容物は、吐出口６、７うちの選ばれた吐出口の開口形状に対応する周面形状の紐状体として吐出される。従って、吐出口６、７の口径に大小の差が存するときは、多量に吐出したい場合と少量に吐出したい場合とに応じ、開口する吐出口を選択するのみで吐出量を調節することができ、手指による押圧力の調節を不要とすることができる。吐出口６、７が互いに異形状の場合も同様である。
【００１６】
図５ないし図８は、請求項２及び請求項４の両発明を併せ適用した実施の一例を示しており、請求項１及び請求項３の発明の前記実施例との第１の相違点は、軟質合性樹脂のごとき可撓性を有する材料で作られた容器１１の容器内部１２が、正面図たる図６（Ａ）、平面図たる同（Ｂ）、底面図たる同（Ｃ）に示されるごとく、肩部たる吐出部位１３から容器１１の底部１８を形成すべき下端１４まで、同質材料の隔壁１５で独立区画１６、１７に区分されており、各独立区画１６、１７が肩部たる吐出部位１３に形成されている複数個の吐出口頸部１９、２０のそれぞれに対応させられている点である。
【００１７】
第２の相違点は、吐出口頸部１９、２０は等径の開口部２１、２２に、図７、図８に示すごとく、吐出口２３、２４が形成されているキャップ２５、２６が嵌着されている点である。
【００１８】
図示例では、隔壁１５で区分された独立区画１６、１７は等容量に設定されているが、両者に容量の差を設けてもよく、その際は、通常は吐出口頸部１９または２０の位置が小容量区画側に片寄ることとなる。
【００１９】
図示例のキャップ２５、２６は、蓋体３１、３２が開放されている平面図たる図７（Ａ）及び（Ｃ）、縦断面図たる同図（Ｂ）及び（Ｄ）に示されるごとく、図７（Ａ）、（Ｂ）の構造体と同図（Ｃ）、（Ｄ）の構造体との２種類であり、図７（Ａ）、（Ｂ）に示されるキャップ２５は吐出口２３が図２（Ｂ）に示す吐出口７の桜花模様の輪郭形状とされ、図７（Ｃ）、（Ｄ）に示されるキャップ２６は、吐出口２４が図２（Ｂ）に示す吐出口７の内歯歯車の略歯形状とされているが、この形状に限定されることなく、図４の（Ａ）ないし（Ｄ）の形状その他任意の形状に製作しうることは勿論であり、その口径も吐出両に対する需要に応じて設定される。
【００２０】
またキャップ２５、２６は、吐出口頸部１９、２０にアンダーカット構造１０で嵌着されるキャップ主体２７、２８と、該２７、２８にヒンジ部２９、３０で連結された蓋体３１、３２とで構成されており、蓋体３１、３２は、内側頂面から突出する円環部３３、３４により、図８に示すごとく吐出口２３、２４の開口されているキャップの吐出口部の上端外周に液密に嵌着される。
【００２１】
この実施例の場合、吐出口２３、２４の形状、口径の相違する複数個のキャップを準備しておくことにより、需要者の希望に応じた吐出口のキャップを提供できる。
【００２２】
図９ないし図１３は、請求項２及び請求項５の発明を併せ適用した実施の一例を示しており、図９に示すごとき軟質構成樹脂のごとき可撓性を有する材料で作られ、内部が１室である各１個の容器３５、３６に、各１個の吐出口頸部３７、３８が形成された複数体の容器、図示例では２本の前記容器３５、３６が１組とされ、図１０の正面図（Ａ）、底面図（Ｂ）、平面図（Ｃ）に示される軟質剛性樹脂のごとく可撓性を有する材料で成形された外装胴部３９で、図１１の縦断面図（Ａ）、底面図（Ｂ）及び図１３に示すように１体形状に包括され、１個の押出し容器４０とされ、各容器３５、３６の吐出口頸部３７、３８に、図７（Ａ）ないし（Ｄ）に示すものと同一構造のキャップ４１、４２とその蓋体４３、４４とが装着された実施例である。
【００２３】
前記キャップ４１、４２と蓋体４３、４４と吐出口頸部３７、３８との構造は、図５ないし図８に示す実施例のものと同一であるので、その構造の説明は省略し、以下容器３５、３６と外装胴部３９とによる押出し容器４０の構造を説明する。
【００２４】
容器３５、３６はそれぞれに吐出口頸部３７、３８が形成された独立容器であり、図９に示すごとく、複数体図示例では並列する２本が１組とされ、図１０（Ａ）、（Ｂ）、（Ｃ）に示される外装胴部３９で、図１１（Ａ）及び（Ｂ）に示すごとく１体形状に包括されている。
【００２５】
外装胴部３９は、図１０（Ａ）の正面図、同図（Ｂ）の底面図及び同図（Ｃ）の平面図に示されるごとく、胴部４５の下端４６が開放され、吐出部位４７、４８に吐出外口頸部４９、５０が突出し、開口されている。
【００２６】
前記容器３５、３６は、外装胴部３９の開放されている下端から該胴部３９内へ挿入され、その吐出口頸部３７、３８の図９に示す下端の外段部５１、５２を吐出外口頸部４９、５０の内側下端の図１０（Ｂ）及び図１１に示す内段部５３、５４に当接させることにより容器３５、３６の吐出口頸部３７、３８の上端５５、５６が、外装胴部３９の吐出外口頸部４９、５０の上端５７、５８と同一面を占める寸法に設定されており、両者の組み付け状態は図１１に示されている。
【００２７】
図示例の実施例では、下端の開放された空の容器３５、３６を、外装同部３９に挿入し、吐出外口頸部４９、５０とその内側に位置する吐出口頸部３７、３８との、それぞれも上端５７、５８、５５、５６を同一面に位置させたのち、キャップ４１、４２、蓋体４３、４４を組み付け、図７、図８について説明したごとく、容器３５、３６の吐出口頸部３７、３８の吐出口を閉塞し、次いで容器３６、３７内に選ばれた内容物、例えばマヨネーズ、泡立てた生クリーム、或はケチャップ、その他の内容物を充填したうえで、それぞれの下端４６、５９、６０を溶着等の手段で閉鎖することにより、図１３に示す押出し容器６１が得られる。なお、下端５９、６０を共に閉鎖し、包括後に、下端４６を閉鎖するのが作業上は便利である。
【００２８】
なお、図９ないし図１３に示す実施例において、その吐出口頸部の吐出口を、図１ないし図４に示した実施例の吐出口頸部の吐出口と同一の構造としうることは勿論である。
【００２９】
図５ないし図１３に示す各実施例においては、内容物の充填される容器を２本として説明したが、この容器を３本以上の任意の本数としうること、並びに吐出口をキャップ側に形成する場合には１組の押出し容器に異形の開口を形成された数種の交換用のキャップを備えて１組の押出し容器としうることも勿論である。更には、図示はしないが、図９ないし図１３に示す実施例において、外装胴部３９内に挿入される容器を１本のみとして、内容物収納部を２分することも勿論可能である。
【００３０】
【発明の効果】
請求項１の発明によると、著しく簡単な構造の１個の押出し容器であるにも拘らず、吐出すべき吐出口頸部を複数個の吐出口頸部の内から選択することによる、外観の異なる内容物の吐出形態、吐出量が得られるので使用者の趣向、被塗着物の形態、必要な吐出量等の各種条件に適合した吐出状態を簡便に得られる効果を奏させることができ、しかも廉価に提供でき効果を奏する。
また上述の吐出効果は、手指による容器の押圧力の強弱のみで行いうるので、操作を著しく容易とする効果も有する。
【００３１】
請求項２に発明によると、吐出口頸部の吐出口が、該吐出口頸部の開口部に嵌着されてキャップに形成されているので、充填されている内容物の性質或は用途等に応じ、最適の形状の吐出口が形成されているキャップと交換することにより、マヨネーズ、トマトケチャップ、生クリーム或は練り歯磨等充填されている内容物と、用途とに応じ最適の吐出状態を容易に実現できる効果を奏する。
【００３２】
請求項３の発明によると、内容物が１種類とされるので、例えばマヨネーズとかトマトケチャップ或は練歯磨等の場合には個人の好みに合せ、多量に出したい人、僅少量が好みの人、或は大人と子供等に応じその吐出量の調節を行いうる効果を奏する。
【００３３】
請求項４の発明によると、単一体の容器本体が、複数の吐出口頸部のそれぞれに対応する独立区画に区分されているので、単一の押出し容器であるにも拘らず、各区画に全く性質の異なる内容物を充填しておくことが可能となる効果を奏する。
【００３４】
請求項５の発明によると、請求項４の発明の効果を奏する内容物の収納容器が少なくとも１本以上外装胴部に挿入されることにより押出し容器を構成しているので、外装胴部内を容易に区画できる効果を奏する。また、内容物を外装胴部に挿入される２本以上の収納容器に充填する構成とする場合には、それぞれ独立した容器であり、該容器の複数本が外装胴部で一体に包括されているので、吐出口のアルミ箔等によるシールさえ完全であれば、内容物の充填と外装胴部による複数の独立容器の包括とを別工程とすることにより作業効率の向上を図りうる効果を奏する。
【図面の簡単な説明】
【図１】第１の実施例の正面図である。
【図２】第１の実施例の容器を示す図面である。
【図３】第１の実施例の容器とキャップの縦断面である。
【図４】吐出口の開口形状の各種態様を示す模式的平面図である。
【図５】第２の実施例の正面図である。
【図６】第２の実施例の容器を示す図面である。
【図７】第２の実施例のキャップの一例を示す図面である。
【図８】第２の実施例の容器の縦断面図である。
【図９】第３の実施例の容器の正面面である。
【図１０】第３の実施例の外装胴部を示す図面である。
【図１１】第３の実施例の外装胴部で包括された容器の縦断面図である。
【図１２】第３の実施例のキャップを示す図面である。
【図１３】第３の実施例の正面面である。
【符号の説明】
１、１１、３５〜３６  容器
２、１３  吐出部位
３、４、１９、２０、３７、３８  吐出口頸部
６、７、２３，２４  吐出口
【図１】
2004299743.tif 000003
【図２】
2004299743.tif 000004
【図３】
2004299743.tif 000005
【図４】
2004299743.tif 000006
【図５】
2004299743.tif 000007
【図６】
2004299743.tif 000008
【図７】
2004299743.tif 000009
【図８】
2004299743.tif 000010
【図９】
2004299743.tif 000011
【図１０】
2004299743.tif 000012
【図１１】
2004299743.tif 000013
【図１２】
2004299743.tif 000014
【図１３】
2004299743.tif 000015
【手続補正書】
【提出日】平成15年4月21日(2003.4.21)
【手続補正１】
【補正対象書類名】明細書
【補正対象項目名】００１９
【補正方法】変更
【補正の内容】
【００１９】
図示例のキャップ２５、２６は、蓋体３１、３２が開放されている平面図たる図７（Ａ）及び（Ｃ）、縦断面図たる同図（Ｂ）及び（Ｄ）に示されるごとく、図７（Ａ）、（Ｂ）の構造体と同図（Ｃ）、（Ｄ）の構造体との２種類であり、図７（Ａ）、（Ｂ）に示されるキャップ２５は吐出口２３が図２（Ｂ）に示す吐出口７の桜花模様の輪郭形状とされ、図７（Ｃ）、（Ｄ）に示されるキャップ２６は、吐出口２４が図２（Ｂ）に示す吐出口６の内歯歯車の略歯形状とされているが、この形状に限定されることなく、図４の（Ａ）ないし（Ｄ）の形状その他任意の形状に製作しうることは勿論であり、その口径も吐出両に対する需要に応じて設定される。


【手続補正２】
【補正対象書類名】図面
【補正対象項目名】全図
【補正方法】変更
【補正の内容】
【図１】
2004299743.tif 000016
【図２】
2004299743.tif 000017
【図３】
2004299743.tif 000018
【図４】
2004299743.tif 000019
【図５】
2004299743.tif 000020
【図６】
2004299743.tif 000021
【図７】
2004299743.tif 000022
【図８】
2004299743.tif 000023
【図９】
2004299743.tif 000024
【図１０】
2004299743.tif 000025
【図１１】
2004299743.tif 000026
【図１２】
2004299743.tif 000027
【図１３】
2004299743.tif 000028